(57)【要約】【課題】測定スケールを変更することなく測定結果の表示範囲を可変することにより測定装置の使い勝手を向上させる。【解決手段】測定対象物から取得した測定信号に基づいて、当該測定信号に含まれる所定の物理量を当該物理量の特定属性に関する所定の測定範囲に亘って測定し、その測定結果を測定画面として画像表示する測定装置であって、測定範囲を設定する測定範囲設定手段Ｍと、測定範囲とは別に測定結果の表示範囲を設定する表示範囲設定手段Ｖと、測定範囲設定手段Ｍで設定された測定範囲に亘って測定された測定結果のうち、表示範囲設定手段Ｖで設定された表示範囲の測定結果を用いて測定画面を生成する測定画面生成手段６と、該測定画面生成手段６によって生成された測定画面を表示する表示手段７とを具備する。【選択図】　　　図１
2004132815.tif 000002
【特許請求の範囲】
【請求項１】
測定対象物から取得した測定信号に基づいて、当該測定信号に含まれる所定の物理量を当該物理量の特定属性に関する所定の測定範囲に亘って測定し、その測定結果を測定画面として画像表示する測定装置であって、
前記測定範囲を設定する測定範囲設定手段（Ｍ）と、
前記測定範囲とは別に前記測定結果の表示範囲を設定する表示範囲設定手段（Ｖ）と、
前記測定範囲設定手段（Ｍ）で設定された測定範囲に亘って測定された測定結果のうち、前記表示範囲設定手段（Ｖ）で設定された表示範囲の測定結果を用いて測定画面を生成する測定画面生成手段（６）と、
該測定画面生成手段（６）によって生成された測定画面を表示する表示手段（７）と
を具備することを特徴とする測定装置。
【請求項２】
測定信号として入力される電気信号について、その電気信号レベルを当該電気信号の特定属性である周波数に関する所定の周波数範囲に亘って測定する電気スペクトラムアナライザであることを特徴とする請求項１記載の測定装置。
【請求項３】
測定信号として入力される光信号について、その光強度を当該光強度の特定属性である周波数あるいは波長に関する所定の周波数範囲あるいは波長範囲に亘って測定する光スペクトラムアナライザであることを特徴とする請求項１記載の測定装置。
【請求項４】
表示範囲設定手段（Ｖ）は、測定範囲設定手段（Ｍ）で設定された測定範囲を表示範囲として取り込むことを特徴とする請求項１〜３いずれかに記載の測定装置。
【請求項５】
測定範囲を変更せずに測定を繰り返し実行している状態でも、表示範囲が可変であることを特徴とする請求項１〜４いずれかに記載の測定装置。
【請求項６】
表示範囲が測定結果に対する解析処理を行う際の解析対象となる周波数範囲あるいは波長範囲であることを特徴とする請求項１〜４いずれかに記載の測定装置。
【請求項７】
測定結果に対する解析処理の結果である周波数値あるいは波長値やレベルに連動して表示範囲を変更することを特徴とする請求項１〜４いずれかに記載の測定装置。
【請求項８】
表示範囲設定手段（Ｖ）は、測定範囲設定手段（Ｍ）において測定範囲が変更されると、当該変更された測定範囲を表示範囲として取り込むことを特徴とする請求項１〜７いずれかに記載の測定装置。
【請求項９】
表示範囲設定手段（Ｖ）はポインティングデバイスを備え、該ポインティングデバイスで測定画面内に指定された始点及び終点で規定される領域を表示範囲として設定することを特徴とする請求項１〜８いずれかに記載の測定装置。
【請求項１０】
表示範囲が測定範囲の一部として表示範囲設定手段（Ｖ）に設定された場合には、測定画面生成手段（６）は、表示範囲の測定結果を用いて測定画面を生成すると共に、測定範囲の測定結果を用いて子画面としての測定画面を生成することを特徴とする請求項１〜９いずれかに記載の測定装置。
【請求項１１】
子画面の表示位置、表示サイズあるいは表示透過率を可変とすることを特徴とする請求項１０記載の測定装置。
【請求項１２】
子画面に表示範囲を示す領域を枠線で表示することを特徴とする請求項１０記載の測定装置。
【請求項１３】
子画面内における枠線の位置が移動可能であることにより表示範囲を可変設定することを特徴とする請求項１２記載の測定装置。
【請求項１４】
測定対象物から取得した測定信号に基づいて、当該測定信号に含まれる所定の物理量を当該物理量の特定属性に関する所定の測定範囲に亘って測定し、その測定結果を測定画面として画像表示する方法であって、
測定結果の表示範囲を測定範囲に対して個別設定し、このような表示範囲に基づいて測定結果を画像表示する
ことを特徴とする測定結果の表示方法。
【請求項１５】
測定信号として入力される電気信号について、その電気信号レベルを当該電気信号の特定属性である周波数に関する所定の周波数範囲に亘って測定することを特徴とする請求項１４に記載の測定結果の表示方法。
【請求項１６】
測定信号として入力される光信号について、その光強度を当該光強度の特定属性である周波数あるいは波長に関する所定の周波数範囲あるいは波長範囲に亘って測定することを特徴とする請求項１４に記載の測定結果の表示方法。
【請求項１７】
測定範囲を変更せずに測定を繰り返し実行している状態でも、表示範囲が可変であることを特徴とする請求項１４〜１６いずれかに記載の測定結果の表示方法。
【請求項１８】
表示範囲が測定結果に対する解析処理を行う際の解析対象となる周波数範囲あるいは波長範囲であることを特徴とする請求項１４〜１６いずれかに記載の測定結果の表示方法。
【請求項１９】
測定結果に対する解析処理の結果である周波数値あるいは波長値やレベルに連動して表示範囲を変更することを特徴とする請求項１４〜１６いずれかに記載の測定結果の表示方法。
【請求項２０】
ポインティングデバイスで測定画面内に指定された始点及び終点で規定される領域を表示範囲として設定することを特徴とする請求項１４〜１９いずれかに記載の測定結果の表示方法。
【請求項２１】
表示範囲が測定範囲の一部として設定された場合には、表示範囲に対応する測定画面を画像表示すると共に、これに加えて測定範囲に対応する測定画面を子画面として画像表示することを特徴とする請求項１４〜２０いずれかに記載の測定結果の表示方法。
【請求項２２】
子画面の表示位置、表示サイズあるいは表示透過率を可変とすることを特徴とする請求項２１記載の測定装置。
【請求項２３】
子画面に表示範囲を示す領域を枠線で表示することを特徴とする請求項２１記載の測定結果の表示方法。
【請求項２４】
子画面内における枠線の位置を移動させることにより表示範囲を可変設定することを特徴とする請求項２３記載の測定結果の表示方法。
【発明の詳細な説明】
【０００１】
【発明の属する技術分野】
本発明は、測定装置及び測定結果の表示方法に関する。
【０００２】
【従来の技術】
周知のように、光信号に含まれる波長成分及び当該波長成分のレベル（光強度）を測定する測定装置として光スペクトラムアナライザがある。光スペクトラムアナライザは、光信号を分光器を用いて細かい波長成分に分光し、該各波長成分を個別に受光することにより各々の光強度を電気信号に変換し、これら電気信号に基づいて波長と光強度との関係を横軸（波長軸）と縦軸（光強度軸）とで示す測定画面を生成して画像表示するものである。このような光スペクトラムアナライザには、横軸を波長に代えて光周波数として表示するものがある。
【０００３】
このような光スペクトラムアナライザを用いて光信号の測定を行う場合、測定者は、測定しようとする波長範囲を操作入力することにより光スペクトラムアナライザの測定スケール（測定範囲）を設定し、その上で測定開始指示を操作入力することにより上記測定スケールに亘る光強度を光スペクトラムアナライザに測定させる。光スペクトラムアナライザは、上記測定スケールに亘る光強度を測定が完了すると、内部メモリに記憶された測定結果に基づいて測定画面を生成して画像表示する。なお、このような光スペクトラムアナライザについては、例えば以下の公知文献に記載されている。
【０００４】
【特許文献１】
特許第２８７７０９号公報
【０００５】
【発明が解決しようとする課題】
ところで、上記従来の光スペクトラムアナライザでは、測定実行後に測定スケールを変更することによって既得の測定結果の表示範囲を変更する機能が備えられている。例えば、表示範囲として測定実行時の測定スケールよりも広い範囲が操作入力された場合、光スペクトラムアナライザは、測定結果の波長範囲を縮小表示する。すなわち、この場合、測定画面は、波長軸上に表示される波長範囲が測定実行時の測定スケールよりも広い範囲に設定されるので、測定結果の波長範囲が圧縮された状態のものとなる。これに対して、表示範囲として測定実行時の測定スケールよりも狭い範囲が操作入力された場合には、光スペクトラムアナライザは、この表示範囲として指定された測定結果の一部を拡大表示する。すなわち、この場合には、測定画面は、波長軸上に表示される波長範囲が測定実行時の測定スケールよりも狭い範囲に設定されるので、測定結果の波長範囲が拡大された状態のものとなる。
【０００６】
しかしながら、このような従来の光スペクトラムアナライザでは、測定結果の表示範囲、つまり測定画面として表示する測定結果の波長範囲を設定するために測定スケールが変更されてしまうので使い勝手が悪い。すなわち、先の測定スケールで再測定を行う必要がある場合には、先の測定スケールと同一の波長範囲を設定し直す必要があるため、操作が煩わしい。
【０００７】
特に近年、光スペクトラムアナライザの測定対象の一例である光情報通信の信号光においては、インターネットなどの普及による光情報通信の伝送情報量の増大に伴い、複数の波長の異なる光が多重化された信号光（ＷＤＭ：Ｗａｖｅｌｅｎｇｔｈ　Ｄｉｖｉｓｉｏｎ　Ｍｕｌｔｉｐｌｅｘ）の利用が急激に広がっている。ＷＤＭを利用した光通信では、波長の異なる光それぞれをチャネルとして扱い、多重化するチャネル数を増やすことにより伝送容量を増やしている。このような光情報通信で用いられる信号光に含まれる波長は、チャネル数の増大と共に広範囲となっている。そして、このような信号光の光スペクトラムを光スペクトラムアナライザにより測定する場合、測定者は、複数のチャネルを一度に測定するために測定スケールを広く設定して測定を行う。そして、測定を行った後に、個々のチャネルの光レベルやスペクトラム幅などを解析するために、個々のチャネルを拡大して表示する。
【０００８】
しかし、従来の光スペクトラムアナライザでは、測定後に個々のチャネルを拡大して表示するためには、表示を行う波長範囲に測定スケールを変更する必要があるため、広い波長範囲を測定後、個々のチャネルを拡大して表示し、広い波長範囲を再び測定する必要がある場合には、測定スケールを再度設定し直さねばならず、使い勝手が悪い。すなわち、従来技術では、測定スケールを変更することなく、表示範囲の変更、つまり波長軸の縮小表示や拡大表示を行うことができないという問題点がある。
【０００９】
本発明は、上述する問題点に鑑みてなされたもので、測定スケールを変更することなく測定結果の表示範囲を可変することにより測定装置の使い勝手を向上させることを目的とする。
【００１０】
【課題を解決するための手段】
上記目的を達成するために、本発明では、測定装置に係わる第１の手段として、測定対象物から取得した測定信号に基づいて、当該測定信号に含まれる所定の物理量を当該物理量の特定属性に関する所定の測定範囲に亘って測定し、その測定結果を測定画面として画像表示する測定装置であって、測定範囲を設定する測定範囲設定手段（Ｍ）と、測定範囲とは別に測定結果の表示範囲を設定する表示範囲設定手段（Ｖ）と、測定範囲設定手段（Ｍ）で設定された測定範囲に亘って測定された測定結果のうち、表示範囲設定手段（Ｖ）で設定された表示範囲の測定結果を用いて測定画面を生成する測定画面生成手段（６）と、該測定画面生成手段（６）によって生成された測定画面を表示する表示手段（７）とを具備するという構成を採用する。
【００１１】
また、測定装置に係わる第２の手段として、上記第１の手段において、測定信号として入力される電気信号について、その電気信号レベルを当該電気信号の特定属性である周波数に関する所定の周波数範囲に亘って測定する電気スペクトラムアナライザであるという構成を採用する。
【００１２】
測定装置に係わる第３の手段として、上記第１の手段において、測定信号として入力される光信号について、その光強度を当該光強度の特定属性である周波数あるいは波長に関する所定の周波数範囲あるいは波長範囲に亘って測定する光スペクトラムアナライザであるという構成を採用する。
【００１３】
測定装置に係わる第４の手段として、上記第１〜第３いずれかの手段において、表示範囲設定手段（Ｖ）は、測定範囲設定手段（Ｍ）で設定された測定範囲を表示範囲として取り込むという構成を採用する。
【００１４】
測定装置に係わる第５の手段として、上記第１〜第４いずれかの手段において、測定範囲を変更せずに測定を繰り返し実行している状態でも、表示範囲が可変であるという構成を採用する。
【００１５】
測定装置に係わる第６の手段として、上記第１〜第４いずれかの手段において、表示範囲が測定結果に対する解析処理を行う際の解析対象となる周波数範囲あるいは波長範囲であるという構成を採用する。
【００１６】
測定装置に係わる第７の手段として、上記第１〜第４いずれかの手段において、測定結果に対する解析処理の結果である周波数値あるいは波長値やレベルに連動して表示範囲を変更するという構成を採用する。
【００１７】
測定装置に係わる第８の手段として、上記第１〜第５いずれかの手段において、表示範囲設定手段（Ｖ）は、測定範囲設定手段（Ｍ）において測定範囲が変更されると、当該変更された測定範囲を表示範囲として取り込むという構成を採用する。
【００１８】
測定装置に係わる第９の手段として、上記第１〜第６いずれかの手段において、表示範囲設定手段（Ｖ）はポインティングデバイスを備え、該ポインティングデバイスで測定画面内に指定された始点及び終点で規定される領域を表示範囲として設定するという構成を採用する。
【００１９】
測定装置に係わる第１０の手段として、上記第１〜第７いずれかの手段において、表示範囲が測定範囲の一部として表示範囲設定手段（Ｖ）に設定された場合には、測定画面生成手段（６）は、表示範囲の測定結果を用いて測定画面を生成すると共に、測定範囲の測定結果を用いて子画面としての測定画面を生成するという構成を採用する。
【００２０】
測定装置に係わる第１１の手段として、上記第１０の手段において、子画面の表示位置、表示サイズあるいは表示透過率を可変とするという構成を採用する。
【００２１】
測定装置に係わる第１２の手段として、上記第１０の手段において、子画面には表示範囲を示す領域が枠線で表示されるという構成を採用する。
【００２２】
測定装置に係わる第１３の手段として、上記第１２の手段において、子画面内における枠線の位置を表示範囲設定手段（Ｖ）を用いて移動させることにより表示範囲を可変設定するという構成を採用する。
【００２３】
一方、本発明では、測定結果の表示方法に係わる第１の手段として、測定対象物から取得した測定信号に基づいて、当該測定信号に含まれる所定の物理量を当該物理量の特定属性に関する所定の測定範囲に亘って測定し、その測定結果を測定画面として画像表示する方法であって、
測定結果の表示範囲を測定範囲に対して個別設定し、このような表示範囲に基づいて測定結果を画像表示するという構成を採用する。
【００２４】
また、測定結果の表示方法に係わる第２の手段として、上記第１の手段において、測定信号として入力される電気信号について、その電気信号レベルを当該電気信号の特定属性である周波数に関する所定の周波数範囲に亘って測定するという構成を採用する。
【００２５】
測定結果の表示方法に係わる第３の手段として、上記第１の手段において、測定信号として入力される光信号について、その光強度を当該光強度の特定属性である周波数あるいは波長に関する所定の周波数範囲あるいは波長範囲に亘って測定するという構成を採用する。
【００２６】
測定結果の表示方法に係わる第４の手段として、上記第１〜第３いずれかの手段において、測定範囲を変更せずに測定を繰り返し実行している状態でも、表示範囲が可変であるという構成を採用する。
【００２７】
測定結果の表示方法に係わる第５の手段として、上記第１〜第３いずれかの手段において、表示範囲が測定結果に対する解析処理を行う際の解析対象となる周波数範囲あるいは波長範囲であるという構成を採用する。
【００２８】
測定結果の表示方法に係わる第６の手段として、上記第１〜第３いずれかの手段において、測定結果に対する解析処理の結果である周波数値あるいは波長値やレベルに連動して表示範囲を変更するという構成を採用する。
【００２９】
測定結果の表示方法に係わる第７の手段として、上記第１〜第６いずれかの手段において、ポインティングデバイスで測定画面内に指定された始点及び終点で規定される領域を表示範囲として設定するという構成を採用する。
【００３０】
測定結果の表示方法に係わる第８の手段として、上記第１〜第７いずれかの手段において、表示範囲が測定範囲の一部として設定された場合には、表示範囲に対応する測定画面を画像表示すると共に、これに加えて測定範囲に対応する測定画面を子画面として画像表示するという構成を採用する。
【００３１】
測定結果の表示方法に係わる第９の手段として、上記第８の手段において、子画面の表示位置、表示サイズあるいは表示透過率を可変とするという構成を採用する。
【００３２】
測定結果の表示方法に係わる第１０の手段として、上記第８の手段において、子画面に表示範囲を示す領域を枠線で表示するという構成を採用する。
【００３３】
測定結果の表示方法に係わる第１１の手段として、上記第１０の手段において、子画面内における枠線の位置を移動させることにより表示範囲を可変設定するという構成を採用する。
【００３４】
【発明の実施の形態】
以下、図面を参照して、本発明に係わる測定装置及び測定結果の表示方法の一実施形態について説明する。なお、本実施形態は、本発明を光スペクトラムアナライザに適用したものである。
【００３５】
図１は、本光スペクトラムアナライザの機能構成を示すブロック図である。この図において、符号１は測定スケール入力部、２は測定スケール保持部、３は測定部、４は表示スケール入力部、５は表示スケール保持部、６は表示演算部（測定画面生成手段）、また７は表示部である。なお、これら各構成要素のうち、測定スケール入力部１と測定スケール保持部２とは測定スケール設定手段Ｍを構成し、表示スケール入力部４と表示スケール保持部５とは表示スケール設定手段Ｖを構成している。
【００３６】
測定スケール入力部１は、測定者が測定スケールとしての測定波長範囲を操作入力するためのものであり、例えばテンキー等のハードウェアキーやマウス等のポインティングデバイスである。測定スケール保持部２は、上記測定スケール入力部１で測定者によって入力された測定スケールを保持するものであり、例えば半導体メモリ等の記憶装置である。測定部３は、測定対象物から測定信号として入力される光信号（測定光）の光強度と波長との関係を示す光スペクトラム特性を測定スケール保持部２に保持されてた測定スケールに亘って測定するものであり、例えば測定光を各波長成分に分光する分光器と各波長成分の光強度を電気信号（検出信号）として検出する光検出器から構成されている。
【００３７】
表示スケール入力部４は、測定者が表示スケールとしての表示波長範囲を操作入力するためのものであり、例えばテンキー等のハードウェアキーやマウス等のポインティングデバイスである。表示スケール保持部５は、上記表示スケール入力部４で測定者によって入力された表示スケールを保持するものであり、例えば半導体メモリ等の記憶装置である。
【００３８】
このように、本光スペクトラムアナライザでは、このような表示スケール入力部４と表示スケール保持部５とから構成される表示スケール設定手段Ｖが、上述した測定スケール入力部１と測定スケール保持部２とから構成される測定スケール設定手段Ｍとは別に設けられている。なお、この表示スケール設定手段Ｖを測定スケール設定手段Ｍに対して別に設けるという構成は、あくまで両者を機能的に分けるということであり、単一のハードウエアを表示スケール設定手段Ｖと測定スケール設定手段Ｍとにモード切替することによって実現しても良い。
【００３９】
表示演算部６は、測定部３によって測定された光スペクトラム特性の測定結果のうち、上記表示スケール保持部５に保持されている表示スケールに該当する波長範囲の測定結果を用いて測定画面を生成するものである。このような表示演算部６は、例えば専用の測定画面生成用プログラムにしたがって動作する中央演算装置（ＣＰＵ）から構成されている。表示部７は、表示演算部６から入力された測定画面を画像表示するものであり、例えば液晶ディスプレイやＣＲＴ装置等である。
【００４０】
次に、このように構成された本光スペクトラムアナライザの動作について、図２〜図８をも参照して詳しく説明する。
【００４１】
図２は、本光スペクトラムアナライザの動作例を示すフローチャート図である。本光スペクトラムアナライザを用いて測定光の光スペクトラム特性を測定する場合、測定者は、測定スケール入力部１を用いて測定スケールとしての測定波長範囲を当該光スペクトラムアナライザに入力する。本光スペクトラムアナライザは、この測定波長範囲が測定スケール入力部１から入力されると（ステップＳ１）、当該測定波長範囲を測定スケール保持部２に保持させる。そして、測定者が操作部（図示略）を操作することにより測定開始指令が入力されると（ステップＳ２）、測定部３は、測定スケール保持部２に保持された測定波長範囲に亘る各波長の光強度を測定する（ステップＳ３）。
【００４２】
表示演算部６は、測定部３から入力される各波長の光強度を順次取り込んで各波長に対応する光強度データとして内部メモリに記憶し、さらに表示スケール保持部５に保持されている表示スケールに該当する波長範囲の光強度データを内部メモリから読み出して測定画面データを生成する（ステップＳ４）。そして、表示演算部６は、このように生成した測定画面データを表示部７に出力することによって測定画面を更新させる（ステップＳ５）。この測定画面は、各波長における光強度の関係を示すものであり、横軸が各波長を示す波長軸、縦軸が各波長の光強度を示す光強度軸である。
【００４３】
ここで、測定者は、測定画面における波長軸の伸縮を行いたい場合には、上記操作部を操作することにより表示スケールの変更指示を本光スペクトラムアナライザに入力する。表示演算部６は、この表示スケールの変更指示が操作部から操作入力され（ステップＳ６）、さらに操作者が表示スケール入力部４を操作することによって表示スケール保持部５には新たな表示波長範囲が保持されると（ステップＳ７）、この新たな表示波長範囲に該当する光強度データを用いて測定画面データを新たに生成し（ステップＳ４）、この新たな測定画面データを表示部７に出力することによって測定画面を更新させる（ステップＳ５）。
【００４４】
本光スペクトラムアナライザでは、測定スケールを測定スケール保持部２に保持する一方、表示スケールを表示スケール保持部５に保持する。すなわち、測定スケールと表示スケールとを個別に設定するので、表示スケールを変更しても測定スケールは変更されることはない。したがって、測定スケールの設定を変更することなく表示スケールのみを独立に変更する、つまり波長軸の伸張を自由に行うことができる。
【００４５】
なお、本光スペクトラムアナライザは、表示スケール入力部４を操作することによって、測定の実行中においても表示範囲を可変設定することができるように構成されている。すなわち、測定光の測定を所定の測定スケールで繰り返し実行している最中であっても、表示スケールを任意の波長範囲に変更して測定結果を表示部７に表示させることができる。
【００４６】
次に、図３は、本光スペクトラムアナライザの他の動作例を示すフローチャートである。
上記図２に示した動作例では、最初に測定スケールを設定して測定を実行したときの表示スケールが不定となっている。つまり、測定スケールを設定した後に測定を実行した際に、表示スケールが設定されていなくても測定画面データを生成するが、この際、表示スケールが設定されてないので不定である。
【００４７】
これに対して、図３に示す動作例では、このような表示スケールの不定状態を回避して測定画面を表示部７に表示する。すなわち、表示演算部６は、測定開始指令が操作部から入力され（ステップＳ１０）、さらに測定開始の指示が操作部から入力されると（ステップＳ１１）、その後に入力された新たな測定スケール（新測定スケール）が当該入力直前の測定スケール（旧測定スケール）と異なるか否かを判定する（ステップＳ１２）。ここで、新測定スケールと旧測定スケールが異なる場合は、表示スケールに測定スケールを設定することにより表示スケールをリセットする（ステップＳ１３）。この一方、新測定スケールと旧測定スケールが同じ場合には、表示スケールのリセットは行わずに、次の処理である測定を実行する（ステップＳ１４）。なお、このステップＳ１４以降の処理は、上述した図２の場合と同様出る。
【００４８】
このような動作例によれば、最初に測定スケールを設定して測定を実行したとき、旧測定スケールは不定であるために新測定スケールと異なるため、表示スケールは測定スケールによりリセットされる。このため、最初に測定スケールを設定して測定を実行したときの表示スケールは不定とならない。また、測定スケールを変更して測定を実行したときに、自動的に表示スケールが測定スケールによりリセットされるため、測定実行後に表示スケールを変更しなくとも、測定実行後に測定波長範囲の全光強度データが自動的に測定画面に表示される。
【００４９】
ここで、図４は、表示部７の表示画面の一部表示領域、すなわち波形表示部８の模式図である。表示演算部６によって生成された測定画面は、図示するように波形表示部８に、横軸を波長（Ｗａｖｅｌｅｎｇｔｈ）（ｎｍ）、縦軸を各波長の光強度（Ｌｅｖｅｌ）（ｄＢｍ）ととする光スペクトラム特性として表示される。
【００５０】
この図４において、上段の図は、測定スケールを波長１５４０ｎｍから波長１５６０ｎｍに設定して測定した場合の測定画面である。表示スケールは、測定実行時に測定スケールによりリセットされるため、表示スケールは、測定スケールと同じ波長１５４０ｎｍから波長１５６０ｎｍである。この測定画面では、波長１５４０ｎｍから波長１５６０ｎｍの波長範囲に含まれる波長の異なる８つの信号成分が表示されている。一方、下段の図は、上記信号成分の中の１つを拡大して表示をしたものであり、上段の図に示す測定画面が表示部７に表示された状態で、測定スケールを変更せずに表示スケールのみを波長１５４８ｎｍから波長１５５０ｎｍに設定し直して表示した場合の測定画面である。
【００５１】
このように、図３に示した動作例によれば、測定スケールを変更することなく、表示スケールのみを変更することで波形の波長軸方向の拡大表示を行うことができる。なお、図４の下段では、表示スケールを測定スケールより狭く設定したが、表示スケールを測定スケールより広くすることで波形の縮小表示を行うことも可能である。また、光スペクトラムアナライザなどの測定器には、測定結果に対して光強度のピーク値やスペクトラム幅などの解析処理を行う機能が備わっているが、その解析処理の処理対象データの範囲として表示スケールを使用することで、解析処理を行う範囲を波形表示部８に表示されている範囲に限定することができる。また、解析処理の結果得られた波長値やレベル値に連動して表示スケールを変更することもできる。
【００５２】
さらに、図５は、上記表示画面の他の例を示す模式図である。この図５において、（ａ）は、測定スケールを波長１５４０ｎｍから波長１５６０ｎｍと設定して測定を実行した後に、表示スケールを波長１５４８ｎｍから波長１５５０ｎｍに設定した際に波形表示部８に表示される測定画面である。この測定画面には、表示スケールの波長１５４８ｎｍから波長１５５０ｎｍの波形が表示される一方、測定された全波長範囲つまり波長１５４０ｎｍから波長１５６０ｎｍに亘る全光強度データが波形全体表示部９として子画面表示されている。このように、波形表示部８に測定した光強度データの一部を拡大して表示をすると共に、波形全体表示部９に光強度データの全体を表示することにより、両者を比較しながら測定結果の観察を行うことができる。
【００５３】
なお、上記波形全体表示部９を表示部７に表示するか否かは、操作部からの操作入力によって測定者が任意に設定可能である。また、波形全体表示部９を表示する際の表示透過率や表示位置や表示サイズも、操作部からの操作入力によって測定者が任意に設定を行うことが可能である。なお、波形表示部８の上に波形全体表示部９を重ねて表示する場合において、波形全体表示部９の表示透過率を測定者が設定することによって、下に表示されている波形表示部８を透かして表示しても良い。
【００５４】
図５（ｂ）は、子画面としての波形全体表示部９を拡大した図である。この図に示すように、波形全体表示部９には、波形表示部８に拡大表示されている範囲が表示範囲表示部１０として示されている。この表示範囲表示部１０は、全体波形表示部９の中に例えば点線の四角い枠線として表示される。このように全体波形表示部９の中に表示範囲表示部１０を表示することで、波形表示部８に測定結果の一部を拡大して表示している場合に、測定スケールの全波長範囲に亘る光強度データのどの部分を表示しているかを測定者は容易に確認することができる。
【００５５】
次に、図６は、本光スペクトラムアナライザにおける表示スケールの設定方法を示す模式図である。この図６において、（ａ）は、測定スケールを波長１５４０ｎｍから波長１５６０ｎｍに設定して測定した時に波形表示部８に表示される測定画面である。この波形表示部８において、測定者は、表示スケール入力部４のマウスを用いて表示スケールの範囲の始点と終点を指定することにより表示スケールを設定する。
【００５６】
すなわち、測定者は、図示するようにマウスカーソル１１を表示スケールとして設定したい範囲の始点に配置し、さらに（ｂ）に示すようにマウスのボタンをドラッグしながら表示スケールとして設定したい範囲の始点の位置までマウスカーソル１１を移動させてマウスのボタンを離す。この結果、波形表示部８には、（ｃ）に示すように、マウスカーソル１１の始点と終点とによって規定される領域１２が拡大表示されると共に、全体波形表示部９が子画面表示される。このように表示スケール入力部４としてマウスを用いることにより、波長軸方向の拡大表示だけではなく、レベル軸方向の拡大表示を簡単に行うことができる。
【００５７】
ここで、全体波形表示部９には、上記マウスによって指定された始点と終点とによって規定された領域１２に対応する表示範囲表示部１０が表示される。なお、このような始点と終点の指定は、表示スケール入力部４にテンキーを用いることにより縦軸及び／あるいは横軸を数値指定するようにしても良い。例えば、横軸の始点波長と終点波長と（つまり波長範囲）を数値によって設定したり、あるいは縦軸の下限光強度と上限光強度と（つまり光強度範囲）を数値によって設定しても良い。
【００５８】
図７は、本光スペクトラムアナライザにおける表示スケールの別の設定方法を示す図である。この図において、（ａ）は、全体波形表示部９の拡大図である。この全体波形表示部９には、上述したように測定結果の表示範囲を表す表示範囲表示部１０が表示される。このような状態の全体波形表示部９において表示スケールを設定する場合、測定者は、図示するようにマウスカーソル１１を表示範囲表示部１０の内側に位置設定し、マウスのボタンをドラッグする。この結果、波形表示範囲部１０は、（ｂ）に示すようにマウスカーソル１１の移動に併せて縦横サイズを保ったまま移動する。
【００５９】
そして、測定者が波形表示部８に表示したい場所に表示範囲表示部１０を移動させたところでマウスのボタンを離すと、波形表示部８には、表示範囲表示部１０に対応した領域が表示される。このように、全体波形表示部９の中でのマウス操作により、表示スケールを変更することができる。
【００６０】
なお、上記実施形態は、本発明を光スペクトラムアナライザに適用したものであるが、本発明は、このような光スペクトラムアナライザだけではなく、例えば電気信号の周波数特性を測定する電気スペクトラムアナライザにも適用可能である。
【００６１】
【発明の効果】
以上説明したように、本発明によれば、測定対象物から取得した測定信号に基づいて、当該測定信号に含まれる所定の物理量を当該物理量の特定属性に関する所定の測定範囲に亘って測定し、その測定結果を測定画面として画像表示する測定装置であって、測定範囲を設定する測定範囲設定手段と、測定範囲とは別に測定結果の表示範囲を設定する表示範囲設定手段と、測定範囲設定手段で設定された測定範囲に亘って測定された測定結果のうち、表示範囲設定手段で設定された表示範囲の測定結果を用いて測定画面を生成する測定画面生成手段と、該測定画面生成手段によって生成された測定画面を表示する表示手段とを具備するので、測定スケールを変更することなく測定結果の表示範囲を可変することが可能であり、よって測定装置の使い勝手を向上させることができる。
【図面の簡単な説明】
【図１】本発明の一実施形態に係わる光スペクトラムアナライザの機能構成を示すブロック図である。
【図２】本発明の一実施形態に係わる光スペクトラムアナライザの動作を示す第１のフローチャートである。
【図３】本発明の一実施形態に係わる光スペクトラムアナライザの動作を示す第２のフローチャートである。
【図４】本発明の一実施形態表において表示部に表示される表示画面の模式図である。
【図５】本発明の一実施形態において表示部に表示される表示画面の第２の模式図である。
【図６】本発明の一実施形態における表示スケールの設定を示す第１の模式図である。
【図７】本発明の一実施形態における表示スケールの設定を示す第２の模式図である。
【符号の説明】
１……測定スケール入力部
２……測定スケール保持部
３……測定部
４……表示スケール入力部
５……表示スケール保持部
６……表示演算部（測定画面生成手段）
７……表示部
８……波形表示部
９……波形全体表示部
１０……表示範囲表示部
１１……マウスカーソル
Ｍ……測定スケール設定手段
Ｖ……表示スケール設定手段
【図１】
2004132815.tif 000003
【図２】
2004132815.tif 000004
【図３】
2004132815.tif 000005
【図４】
2004132815.tif 000006
【図５】
2004132815.tif 000007
【図６】
2004132815.tif 000008
【図７】
2004132815.tif 000009
【手続補正書】
【提出日】平成14年12月3日(2002.12.3)
【手続補正１】
【補正対象書類名】明細書
【補正対象項目名】請求項６
【補正方法】変更
【補正の内容】
【請求項６】
表示範囲が測定結果に対する解析処理を行う際の解析対象となる周波数範囲あるいは波長範囲であることを特徴とする請求項１〜５いずれかに記載の測定装置。
【手続補正２】
【補正対象書類名】明細書
【補正対象項目名】請求項７
【補正方法】変更
【補正の内容】
【請求項７】
測定結果に対する解析処理の結果である周波数値あるいは波長値やレベルに連動して表示範囲を変更することを特徴とする請求項１〜６いずれかに記載の測定装置。
【手続補正３】
【補正対象書類名】明細書
【補正対象項目名】請求項１８
【補正方法】変更
【補正の内容】
【請求項１８】
表示範囲が測定結果に対する解析処理を行う際の解析対象となる周波数範囲あるいは波長範囲であることを特徴とする請求項１４〜１７いずれかに記載の測定結果の表示方法。
【手続補正４】
【補正対象書類名】明細書
【補正対象項目名】請求項１９
【補正方法】変更
【補正の内容】
【請求項１９】
測定結果に対する解析処理の結果である周波数値あるいは波長値やレベルに連動して表示範囲を変更することを特徴とする請求項１４〜１８いずれかに記載の測定結果の表示方法。
【手続補正５】
【補正対象書類名】明細書
【補正対象項目名】００１５
【補正方法】変更
【補正の内容】
【００１５】
測定装置に係わる第６の手段として、上記第１〜第５いずれかの手段において、表示範囲が測定結果に対する解析処理を行う際の解析対象となる周波数範囲あるいは波長範囲であるという構成を採用する。


【手続補正６】
【補正対象書類名】明細書
【補正対象項目名】００１６
【補正方法】変更
【補正の内容】
【００１６】
測定装置に係わる第７の手段として、上記第１〜第６いずれかの手段において、測定結果に対する解析処理の結果である周波数値あるいは波長値やレベルに連動して表示範囲を変更するという構成を採用する。


【手続補正７】
【補正対象書類名】明細書
【補正対象項目名】００１７
【補正方法】変更
【補正の内容】
【００１７】
測定装置に係わる第８の手段として、上記第１〜第７いずれかの手段において、表示範囲設定手段（Ｖ）は、測定範囲設定手段（Ｍ）において測定範囲が変更されると、当該変更された測定範囲を表示範囲として取り込むという構成を採用する。


【手続補正８】
【補正対象書類名】明細書
【補正対象項目名】００１８
【補正方法】変更
【補正の内容】
【００１８】
測定装置に係わる第９の手段として、上記第１〜第８いずれかの手段において、表示範囲設定手段（Ｖ）はポインティングデバイスを備え、該ポインティングデバイスで測定画面内に指定された始点及び終点で規定される領域を表示範囲として設定するという構成を採用する。


【手続補正９】
【補正対象書類名】明細書
【補正対象項目名】００１９
【補正方法】変更
【補正の内容】
【００１９】
測定装置に係わる第１０の手段として、上記第１〜第９いずれかの手段において、表示範囲が測定範囲の一部として表示範囲設定手段（Ｖ）に設定された場合には、測定画面生成手段（６）は、表示範囲の測定結果を用いて測定画面を生成すると共に、測定範囲の測定結果を用いて子画面としての測定画面を生成するという構成を採用する。


【手続補正１０】
【補正対象書類名】明細書
【補正対象項目名】００２７
【補正方法】変更
【補正の内容】
【００２７】
測定結果の表示方法に係わる第５の手段として、上記第１〜第４いずれかの手段において、表示範囲が測定結果に対する解析処理を行う際の解析対象となる周波数範囲あるいは波長範囲であるという構成を採用する。


【手続補正１１】
【補正対象書類名】明細書
【補正対象項目名】００２８
【補正方法】変更
【補正の内容】
【００２８】
測定結果の表示方法に係わる第６の手段として、上記第１〜第５いずれかの手段において、測定結果に対する解析処理の結果である周波数値あるいは波長値やレベルに連動して表示範囲を変更するという構成を採用する。